(57)【要約】【課題】異物や汚れの清掃除去が短時間で容易に行えるとともに、作業者の身体や衣服の一部が引っ掛かる危険性が完全に排除された扉開閉用レバー式ハンドル装置を提供する。【解決手段】固定ベースと、固定ベースに保持される操作ハンドルとからなり、固定ベースの軸孔とは反対側にある端部に、作動軸部とは反対側にあるグリップ部の先端部が対面するガード壁部を突設する。グリップ部の当該先端部前面の側面視形状を外向きに凸の湾曲面に形成し、前記ガード壁部前面の側面視形状を外向きに凸の湾曲面に形成し、操作ハンドルの頭部を固定ベースに当接させ、前記頭部前面を外向きに凸の湾曲面に形成し、グリップ部の前記先端部背面の側面視形状を外向きに凹の湾曲面に形成し、作動軸部側にある前記グリップ部の基端部背面の側面視形状を外向きに凹の湾曲面に形成する。【選択図】図２
2010203084.tif 000002
【特許請求の範囲】
【請求項１】
扉の表面に固着され、一側の端部に軸孔を前後方向に貫通して設けた固定ベースと、一側の端部背面に前記軸孔に嵌挿される作動軸部を設けてあり、前記作動軸部に連設したグリップ部が前記固定ベースの長手方向に整列して前記固定ベースの中央部分に配置され、前記グリップ部が前記軸孔を中心に前記固定ベースの前面に沿って回動する操作ハンドルとからなり、
前記固定ベースの前記軸孔とは反対側にある端部に、前記作動軸部とは反対側にある前記グリップ部の先端部が対面するガード壁部を突設し、前記グリップ部の前記先端部前面の側面視形状を外向きに凸の湾曲面に形成し、前記固定ベースの前記ガード壁部前面の側面視形状を外向きに凸の湾曲面に形成し、前記作動軸部側にある前記操作ハンドルの頭部を前記固定ベースに当接させ、前記操作ハンドルの前記頭部前面を外向きに凸の湾曲面に形成し、前記グリップ部の前記先端部背面の側面視形状を外向きに凹の湾曲面に形成し、前記作動軸部側にある前記グリップ部の基端部背面の側面視形状を外向きに凹の湾曲面に形成した扉開閉用レバー式ハンドル装置。
【発明の詳細な説明】
【技術分野】
【０００１】
本発明は、食器消毒保管庫といった厨房機器等の扉に装着されて、該扉を開閉操作するためのレバー式ハンドル装置に関するものである。
【背景技術】
【０００２】
厨房機器等において使用されている扉用ハンドル装置には、埋め込み型ハンドル装置と、突出型ハンドル装置がある。前者の埋め込み型ハンドル装置は、扉に形成した開口部や凹陥部に固定ケースを嵌め入れて扉に固着し、前記固定ケースに収納した操作ハンドルの基端部を扉面に平行な枢軸で前記固定ケースに枢着し、前記扉を機器の固定枠体に対して錠止するロック機構を扉背面側に設け、前記操作ハンドルのグリップ部を扉面の前後方向に引出回転することによって、前記操作ハンドルの基端部背面の駆動突子によって前記ロック機構を錠止解除方向に駆動するものである。
【０００３】
後者の突出型ハンドル装置は、扉の開口に嵌挿して扉前面に固定受座を固着し、前記固定受座に操作ハンドルの基端部背面の作動軸を嵌挿し、前記扉を機器の固定枠体に対して錠止するロック機構を扉背面側に設け、扉の前面側に突き出して配置された前記操作ハンドルのグリップ部を扉面に沿って回転させることによって、前記作動軸により前記ロック機構を錠止解除方向に駆動するものである。
【０００４】
前記埋め込み型ハンドル装置では、前記操作ハンドルは前記固定ケースに全体が収納されており、前記固定ケースは前端フランジ部が扉面に若干突出しているだけであるため、機器前面を通過する作業者の身体や衣服の一部が接触ないし引っ掛かる危険性はない。その反面。前記固定ケースの前面開放部から異物や汚れが侵入付着したときには、前記固定ケースが凹み形成されている分だけその清掃除去は容易ではない。
【０００５】
前記突出型ハンドル装置では、前記固定受座や前記操作ハンドルに異物や汚れが付着したときには、これらが扉前面がわに全体が露出しているため、所要時間の長短は別として異物や汚れの清掃除去は支障なく行える。その反面、機器前面を通過する作業者の身体や衣服の一部が接触ないし引っ掛かる危険性は格段に高くなる。
【０００６】
突出型ハンドル装置の改良型として、一側の端部に軸孔を設けた固定ベースと、グリップ部の一側の端部背面に作動軸部を設けてあり、前記グリップ部が前記軸孔を中心として前記固定ベースの前面に沿って回動する操作ハンドルとからなり、前記作動軸とは反対側にある前記グリップ部の先端部を外向きに凸に湾曲形成したものが提案されている（特許文献１）。
【０００７】
この改良型においては、機器前面を通過する作業者の身体や衣服の一部が接触する可能性のある前記グリップ部の先端部が前記のように湾曲形成されているため、作業者の身体や衣服の一部が操作ハンドルに引っ掛かる恐れはそれなりに軽減されるのであるが、前記グリップ部の先端部は前記固定ベース部から離隔して配置されているため、この隙間に作業者の身体や衣服の一部が入り込むことや引っ掛かる危険性は依然として解消されていない。
【０００８】
【特許文献１】特開２００２−１２９７８３号公報
【発明の開示】
【発明が解決しようとする課題】
【０００９】
本発明の課題は、異物や汚れが付着してもその清掃除去の作業が短時間で容易に行えるとともに、作業者の身体や衣服の一部が入り込む事態や引っ掛かる危険性が完全に排除された扉開閉用レバー式ハンドル装置を提供することである。
【課題を解決するための手段】
【００１０】
本発明の扉開閉用レバー式ハンドル装置は、扉の表面に固着され、一側の端部に軸孔を前後方向に貫通して設けた固定ベースと、一側の端部背面に前記軸孔に嵌挿される作動軸部を設けてあり、前記作動軸部に連設したグリップ部が前記固定ベースの長手方向に整列して前記固定ベースの中央部分に配置され、前記グリップ部が前記軸孔を中心に前記固定ベースの前面に沿って回動する操作ハンドルとからなり、
前記固定ベースの前記軸孔とは反対側にある端部に、前記作動軸部とは反対側にある前記グリップ部の先端部が対面するガード壁部を突設し、前記グリップ部の前記先端部前面の側面視形状を外向きに凸の湾曲面に形成し、前記固定ベースの前記ガード壁部前面の側面視形状を外向きに凸の湾曲面に形成し、前記作動軸部側にある前記操作ハンドルの頭部を前記固定ベースに当接させ、前記操作ハンドルの前記頭部前面を外向きに凸の湾曲面に形成し、前記グリップ部の前記先端部背面の側面視形状を外向きに凹の湾曲面に形成し、前記作動軸部側にある前記グリップ部の基端部背面の側面視形状を外向きに凹の湾曲面に形成したものである。
【発明の効果】
【００１１】
このように本発明の扉開閉用レバー式ハンドル装置では、前記固定ベースの前記軸孔とは反対側にある端部に、前記作動軸部とは反対側にある前記グリップ部の先端部が対面するガード壁部を突設し、前記グリップ部の前記先端部前面の側面視形状を外向きに凸の湾曲面に形成し、前記固定ベースの前記ガード壁部前面の側面視形状を外向きに凸の湾曲面に形成してあるため、前記ガイド壁部側から機器前面を通過する作業者の身体や衣服の一部が接触しても、前記ガイド壁部前面の前記湾曲面と前記グリップ部の先端部前面の前記湾曲面に誘導されて逸らされることになる。また、前記作動軸部側にある前記操作ハンドルの頭部を前記固定ベースに当接させ、前記操作ハンドルの前記頭部前面を外向きに凸の湾曲面に形成してあるため、前記作動軸部側から機器前面を通過する作業者の身体や衣服の一部が接触しても、前記操作ハンドルの前記頭部前面の前記湾曲面に誘導されて逸らされることになる。すなわち、前記操作ハンドルの先端部と基端部のいずれの側から作業者が接近した場合であっても、作業者の身体や衣服の一部が前記固定ベースと前記操作ハンドルのグリップ部との間に入り込む事態は起こらず、作業者の身体や衣服の一部が前記捜査ハンドルに引っ掛かる危険性は完全に排除されることになる。
【００１２】
さらに本発明の扉開閉用レバー式ハンドル装置では、前記グリップ部の前記先端部前面の側面視形状を外向きに凸の湾曲面に形成し、前記ガード壁部前面の側面視形状を外向きに凸の湾曲面に形成し、前記操作ハンドルの頭部を前記固定ベースに当接させて前記頭部前面を外向きに凸の湾曲面に形成するとともに、前記グリップ部の前記先端部背面の側面視形状を外向きに凹の湾曲面に形成し、前記作動軸部側にある前記グリップ部の基端部背面の側面視形状を外向きに凹の湾曲面に形成してあるため、前記固定ベースや前記操作ハンドルに異物や汚れが付着してもその清掃除去が支障なく短時間で容易におこなえる。
【実施例】
【００１３】
図１と図２に示した実施例では、操作ハンドル２のグリップ部３の回転範囲をカバーする形状及び大きさの固定ベース１は、耐熱性があって熱伝導性の低い材料によって作成されており、固定ベース１は扉４の前面に当接され、扉４の背面側からビス５によって固着されている。固定ベース１の一側の端部、すなわち図１において左側の端部に凹み形成された軸受部６の中央部には、操作ハンドル２の作動軸部７が嵌挿される軸孔８を設けてある。
【００１４】
作動軸部７は操作ハンドル２の頭部１２の背面部に形成した受孔１９に前端部を相対回転不能に挿入され、ビス２０によって操作ハンドル２に固着されている。作動軸部７の中間部に形成した直径方向のガイド孔１７には、ロックバー２１をスライド可能に嵌挿してある。作動軸部７はその軸方向すなわち扉面の前後方向に移動しないように、止めリング３２によって保持されている。
作動軸部７の後端部には、ラッチ作動式のロック機構９を駆動するための駆動プレート１０をボルト１１で連結してある。このロック機構９は、扉４の左側辺に配置されている。
【００１５】
操作ハンドル２の頭部１２には錠前ユニット１３が埋め込み固着されており、作動軸部７の前端凹部３４にはロックカム１５が回転可能に嵌められている。錠前ユニット１３のローター１４の角軸部には、ロックカム１５が相対回転不能に嵌合されている。ロックカム１５の後面に形成された偏心突起１６は、ロックバー２１の前面に設けたカム受部１８に挿入されている。所定の鍵（図示していない）でローター１４を所要角度回転させると、ロックバー２１がスライドし、固定ベース１側のロック溝３３と係脱し、操作ハンドル２を固定ベース１に対して施錠または施錠解除する。
【００１６】
固定ベース１と操作ハンドル２の間には、圧縮コイルバネ２２が嵌められている。固定ベース１の左端部前面に形成された環状隆起部２３は、操作ハンドルの頭部１２の背面に形成した環状凹部２４に嵌めこまれている。操作ハンドル２のグリップ部３は、主体部分が固定ベース１の前面と平行となるように形成されており、作動軸部７とは反対側、すなわち図１において右側にある先端部２５が、固定ベース１の前面に向かうように曲げられている。
【００１７】
軸孔８とは反対側の端部、すなわち図１において固定ベース１の右側の端部に設けられたガイド壁部２６は、正面視において軸孔８を中心とする円弧状に形成されており、作業者の身体や衣服の一部が固定ベース１の上下方向から接近しても、作業者の身体や衣服の一部を逸らすようになっている。固定ベース１の前記軸受部６の外周部分であってグリップ部３の基端部２７に対面する立ち上がり部分２８の側面視形状は、グリップ部３の基端部２７背面の側面視形状と同様に外向きに凹の湾曲面に形成されている。これによって、当該部分に付着した異物や汚れの清掃除去がより容易になされる。
【００１８】
図３と図４に示した別の実施例では、ラッチ作動式のロック機構９は２個使用され、扉４の上側辺と下側辺に配置されている。駆動プレート１０とロック機構９は連動ロッド３０によって連結されている。ラッチ式ロック機構９は、ラッチ棒３１が内蔵の圧縮コイルバネによって突出方向に付勢されているものである。これ以外の部分については、前記した実施例と同様であるので説明は省略する。
なお、本発明のレバー式ハンドル装置と組み合わせて使用されるロック機構はラッチ作動方式のものには限定されない。
【図面の簡単な説明】
【００１９】
【図１】本発明の一実施例に係るレバー式ハンドル装置の正面図である。
【図２】図１のレバー式ハンドル装置の底面図である。
【図３】本発明の別の実施例に係るレバー式ハンドル装置の正面図である。
【図４】図３のレバー式ハンドル装置の底面図である。
【符号の説明】
【００２０】
１  固定ベース
２  操作ハンドル
３  グリップ部
４  扉
５  ビス
６  軸受部
７  作動軸部
８  軸孔
９  ロック機構
１０  駆動プレート
１１  ボルト
１２  操作ハンドルの頭部
１３  錠前ユニット
１４  ローター
１５  ロックカム
１６  偏心突起
１７  ガイド孔
１８  カム受部
１９  作動軸部用受孔
２０  作動軸部固定用ビス
２１  ロックバー
２２  圧縮コイルバネ
２３  固定ベースの環状隆起部
２４  操作ハンドルの環状凹部
２５  グリップ部の先端部
２６  固定ベースのガイド壁部
２７  グリップ部の基端部
２８  固定ベースの立ち上がり部
３０  連動ロッド
３１  ラッチ棒
３２  止めリング
３３  ロック溝
３４  作動軸部のカム用凹部
【図１】
2010203084.tif 000003
【図２】
2010203084.tif 000004
【図３】
2010203084.tif 000005
【図４】
2010203084.tif 000006